(57)【要約】【課題】フォトコンテストに応募された画像の中から、フォトコンテストで公開しない画像をユーザが選択した後に、公開しない画像の一覧をユーザが確認可能な仕組みを提供すること。【解決手段】フォトコンテストに応募された複数の画像データの中から、フォトコンテストで公開しない画像データの候補の選択をユーザから受け付け、選択された画像データのサムネイル画像の一覧画面を表示させる。【選択図】図３
2014225255.tif 000002
【特許請求の範囲】
【請求項１】
フォトコンテストに応募された複数の画像データを記憶する記憶手段と、
前記記憶手段で記憶された前記複数の画像データの中から、前記フォトコンテストで公開しない画像データの候補の選択を受け付ける選択受付手段と、
前記選択受付手段により選択を受け付けた画像データのサムネイル画像の一覧画面を表示させる表示手段と
を有することを特徴とする情報処理システム。
【請求項２】
前記選択受付手段で受け付けた画像データを、前記フォトコンテストで公開しない画像データとして確定する確定手段と、
前記一覧画面上で、前記選択受付手段で受け付けた選択を、画像データごとに解除する解除手段と、をさらに有し、
前記確定手段は、前記選択受付手段で受け付けた画像データであって前記解除手段で解除された画像以外の画像データを、前記フォトコンテストで公開する画像として確定することを特徴とする請求項１に記載の情報処理システム。
【請求項３】
前記表示手段は、前記解除手段で解除された画像データのサムネイル画像を除いた一覧画面を再度表示することを特徴とする請求項２に記載の情報処理システム。
【請求項４】
前記記憶手段は、前記選択受付手段で選択を受け付けた前記フォトコンテストで公開しない画像データに対する、ユーザによる選択時の操作の有無も記憶しており、
前記表示手段は、前記選択時に操作された画像データのサムネイル画像と前記選択時に操作されていない画像データのサムネイル画像とが、前記一覧画面上で識別可能に表示させることを特徴とする請求項１乃至３のいずれか１項に記載の情報処理システム。
【請求項５】
前記記憶手段は、前記選択受付手段で選択を受け付けた前記フォトコンテストで公開しない画像データに対する、ユーザによる選択時の操作の有無も記憶しており、
前記表示手段は、前記選択時に操作された画像データのサムネイル画像を、前記一覧画面上で表示させることを特徴とする請求項１乃至３のいずれか１項に記載の情報処理システム。
【請求項６】
前記記憶手段は、前記選択受付手段で選択を受け付けた前記フォトコンテストで公開しない画像データに対する、ユーザによる選択時の操作の有無も記憶しており、
前記表示手段は、前記選択時に操作されていない画像データのサムネイル画像を、前記一覧画面上で表示させることを特徴とする請求項１乃至３のいずれか１項に記載の情報処理システム。
【請求項７】
前記ユーザによる選択時の操作とは、ユーザによる当該画像データを表示画面上に拡大して表示させる操作であることを特徴とする請求項４乃至６のいずれか１項に記載の情報処理システム。
【請求項８】
フォトコンテストに応募された複数の画像データを記憶する記憶手段を有する情報処理システムの制御方法であって、
前記記憶手段で記憶された前記複数の画像データの中から、前記フォトコンテストで公開しない画像データの候補の選択を受け付ける選択受付工程と、
前記選択受付工程により選択を受け付けた画像データのサムネイル画像の一覧画面を表示させる表示工程と
を有することを特徴とする情報処理システムの制御方法。
【請求項９】
フォトコンテストに応募された複数の画像データを記憶する記憶手段を有する情報処理システムで読み取り実行可能なプログラムであって、
前記情報処理システムを、
前記記憶手段で記憶された前記複数の画像データの中から、前記フォトコンテストで公開しない画像データの候補の選択を受け付ける選択受付手段と、
前記選択受付手段により選択を受け付けた画像データのサムネイル画像の一覧画面を表示させる表示手段
として機能させることを特徴とするプログラム。
【発明の詳細な説明】
【技術分野】
【０００１】
情報処理システム、情報処理システムの制御方法、およびプログラムに関し、特に、フォトコンテストに応募された画像の中から、フォトコンテストで公開しない画像をユーザが選択した後に、公開しない画像の一覧をユーザが確認可能な仕組みに関する。
【背景技術】
【０００２】
フォトコンテストの主催者（管理者）は、応募者から風景写真や人物写真等の作品を受け付け、主催者（管理者）が、受け付けた作品が公開するにふさわしい作品か検閲する。そして、検閲が終了すると、公開するにふさわしいと判断された作品の中から、審査員（例えば、プロの写真家等）が賞候補の選択を行い、最終的な賞を決定して公表している。
【０００３】
従来の検閲手順は、紙に出力した作品（写真）を並べて、その中から公開すべきでない作品を抽出する手順で行っている。
【０００４】
しかしながら、紙に出力して作品（写真）を並べて検閲する手順の場合、紙に出力する作業、作品を並べる場所を確保する作業、主催者（管理者）のスケジュール調整をする作業等の多くの労力を必要としていた。
【０００５】
そこで、これらの労力を削減するため、応募作品の画像データ（以下、画像や写真ともいう）を、例えば、ＷＥＢサーバ上に保存しておき、ネットワークを介して、主催者（管理者）の操作するＰＣのＷＥＢブラウザ上で閲覧可能とさせ、また、ＷＥＢブラウザ上の操作で、応募作品の中で、非公開とすべき作品を抽出する作業ができるような仕組みが求められている。つまり、主催者（管理者）は、ネットワークを介して作品を検閲することで、今までの労力を削減することができるためである。
【０００６】
特許文献１には、誰もが簡単にインターネット等通信ネットワーク上でコンテストを開催できる場を提供する技術が開示されている。
【先行技術文献】
【特許文献】
【０００７】
【特許文献１】特開２００２−１６９９２７号公報
【発明の概要】
【発明が解決しようとする課題】
【０００８】
しかしながら、特許文献１に記載の技術には、主催者（管理者）が応募作品の中で公開すべきでない作品を抽出する作業ができる仕組みについては何らの開示もなされていない。
【０００９】
そのため、特許文献１に記載の技術では、仮に、主催者（管理者）が応募作品の中で公開すべきでない作品を抽出できたとしても、フォトコンテストの主催者（管理者）が検閲をする場面においては、数百枚の作品の中から非公開とすべき作品を抽出しなければならないことから、本来公開してもよい作品を、主催者（管理者）が誤って非公開にしてしまう可能性がある。
【００１０】
そこで、このような問題を解決するためには、非公開とした作品が、本当に非公開としてよい作品かどうかを、主催者（管理者）が改めて確認し、間違いがあれば訂正し、間違いがないと判断できた場合に限り、非公開作品として登録できるようにさせなければならない。
【００１１】
本発明は、フォトコンテストに応募された画像の中から、フォトコンテストで公開しない画像をユーザが選択した後に、公開しない画像の一覧をユーザが確認可能な仕組みを提供することを目的とする。
【課題を解決するための手段】
【００１２】
本発明は、フォトコンテストに応募された複数の画像データを記憶する記憶手段と、前記記憶手段で記憶された前記複数の画像データの中から、前記フォトコンテストで公開しない画像データの候補の選択を受け付ける選択受付手段と、前記選択受付手段により選択を受け付けた画像データのサムネイル画像の一覧画面を表示させる表示手段とを有することを特徴とする。
【００１３】
また、本発明は、フォトコンテストに応募された複数の画像データを記憶する記憶手段を有する情報処理システムの制御方法であって、前記記憶手段で記憶された前記複数の画像データの中から、前記フォトコンテストで公開しない画像データの候補の選択を受け付ける選択受付工程と、前記選択受付工程により選択を受け付けた画像データのサムネイル画像の一覧画面を表示させる表示工程とを有することを特徴とする。
【００１４】
また、本発明は、フォトコンテストに応募された複数の画像データを記憶する記憶手段を有する情報処理システムで読み取り実行可能なプログラムであって、前記情報処理システムを、前記記憶手段で記憶された前記複数の画像データの中から、前記フォトコンテストで公開しない画像データの候補の選択を受け付ける選択受付手段と、前記選択受付手段により選択を受け付けた画像データのサムネイル画像の一覧画面を表示させる表示手段として機能させることを特徴とする。
【発明の効果】
【００１５】
本発明によれば、フォトコンテストに応募された画像の中から、フォトコンテストで公開しない画像をユーザが選択した後に、公開しない画像の一覧をユーザが確認可能な仕組みを提供することができる。
【図面の簡単な説明】
【００１６】
【図１】本発明の実施の形態における情報処理システムを示す図である。
【図２】本発明の実施の形態におけるハードウェア構成図である。
【図３】本発明の第一の実施の形態における処理の流れを示すフローチャートである。
【図４】本発明の実施の形態における主催者（管理者）のクライアント端末に表示される検閲対象フォトコンテスト一覧画面の一例を示す図である。
【図５】本発明の実施の形態における主催者（管理者）のクライアント端末に表示される検閲画面（１）の一例を示す図である。
【図６】本発明の実施の形態における主催者（管理者）のクライアント端末に表示される検閲画面（２）の一例を示す図である。
【図７】本発明の実施の形態における主催者（管理者）のクライアント端末に表示される非公開画像一覧画面の一例を示す図である。
【図８】本発明の実施の形態における主催者（管理者）のクライアント端末に表示される非公開画像一覧画面の一例を示す図である。
【図９】本発明の実施の形態における主催者（管理者）のクライアント端末に表示される登録処理完了画面の一例を示す図である。
【図１０】本発明の実施の形態における検閲履歴情報テーブルの一例を示す図である。
【図１１】本発明の実施の形態における主催者（管理者）のクライアント端末に表示される非公開画像一覧画面の一例を示す図である。
【図１２】本発明の第二の実施の形態における処理の流れを示すフローチャートである。
【図１３】本発明の実施の形態におけるフォトコンテスト作成処理から結果発表処理までの一連の処理の流れを示すフローチャートである。
【図１４】本発明の実施の形態における主催者（管理者）のクライアント端末に表示される非公開画像一覧画面の一例を示す図である。
【発明を実施するための形態】
【００１７】
以下、図面を用いて本発明の実施の形態を説明する。
【００１８】
図１は、本発明の実施の形態における情報処理システムを示す図である。
【００１９】
情報処理システムは、情報処理装置１０１、クライアント端末１０２が、ネットワーク１０３を介して、相互に通信可能に接続されている。
【００２０】
情報処理装置１０１は、ＷＥＢサーバとしての機能を備える装置である。本発明の実施に形態では、フォトコンテストの応募作品に関する画像データを管理している。情報処理装置１０１は、本発明におけるフォトコンテストに応募された複数の画像データを記憶する記憶手段を備えた情報処理装置の一例である。
【００２１】
クライアント端末１０２は、ユーザが操作する端末であり、パーソナルコンピュータやノートパソコン、タブレット端末等である。また、ＷＥＢブラウザがインストールされているものとする。本発明の実施の形態では、フォトコンテストの主催者は、クライアント端末１０２を介して、情報処理装置１０１に対してフォトコンテストに関する様々な設定を行う。そして、ネットワークを介して、応募者からの作品を情報処理装置１０１で受け付け、審査員に対して対象となる作品の中から賞候補となる作品の抽出作業を依頼する。一方、審査員は、主催者からの依頼に従って、クライアント端末１０２を介して、情報処理装置にアクセスを行い、審査対象となる作品を閲覧しながら、賞候補の作品を審査するする作業を行う。クライアント端末１０２は、本発明における、ブラウザがインストールされた、画像データの公開と非公開をユーザが選択可能なクライアント端末の一例であり、フォトコンテストに応募された複数の画像データを記憶する記憶手段を備えた情報処理装置の一例である。
【００２２】
ネットワーク１０３は、通信回線であり、インターネットや公衆回線等である。また、有線・無線のいずれであってもよい。
【００２３】
図２は、本発明の実施の形態におけるハードウェア構成図である。
【００２４】
図１に示した情報処理装置１０１、クライアント端末１０２に適用可能なハードウェア構成を示すブロック図である。
【００２５】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２６】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２７】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００２８】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２９】
２０８は通信Ｉ／Ｆコントローラで、ネットワークを介して外部機器と接続・通信するものであり、ネットワークでの通信制御処理を実行する。例えば、ＴＣＰ／ＩＰを用いた通信等が可能である。
【００３０】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００３１】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００３２】
次に、本発明における実施の形態の処理の流れを説明する。
【００３３】
図３は、本発明の第一の実施の形態における処理の流れを示すフローチャートである。
【００３４】
なお、本処理の流れが始まる前提として、情報処理装置１０１では、フォトコンテストに対する応募作品（画像データ）がすでに管理されているものとする。
【００３５】
ステップＳ３０１において、クライアント端末１０２のＣＰＵ２０１は、情報処理装置１０１にアクセス要求を行う。具体的には、所定のＵＲＬへアクセスを行うことで、ＷＥＢ画面の要求を行う。
【００３６】
ステップＳ３０２において、情報処理装置１０１は、アクセス要求を受け付ける。
【００３７】
ステップＳ３０３において、情報処理装置１０１のＣＰＵ２０１は、主催者（管理者）を認証するための認証画面情報を送信する。認証画面情報は、例えば、ＨＴＭＬ形式、ＸＭＬ形式などの構造化言語により記述された画面情報である。
【００３８】
ステップＳ３０４において、クライアント端末１０２のＣＰＵ２０１は、認証画面情報を受信して、受信した認証画面情報を用いて、認証画面をＷＥＢブラウザ上に表示する。
【００３９】
ステップＳ３０５において、クライアント端末１０２のＣＰＵ２０１は、認証画面を介して、ユーザにより入力された認証情報（例えば、ユーザＩＤ・パスワードの組み合わせ等）を取得する。
【００４０】
ステップＳ３０６において、クライアント端末１０２は、取得した認証情報を情報処理装置１０１に送信する。
【００４１】
ステップＳ３０７において、情報処理装置１０１は、認証情報を受信する。
【００４２】
ステップＳ３０８において、情報処理装置１０１のＣＰＵ２０１は、受信した認証情報が、ユーザテーブルに管理しているユーザに合致するかの認証処理を行う。ここでは、認証処理により認証がされたものとして以下説明を続ける。
【００４３】
ステップＳ３０９において、情報処理装置１０１のＣＰＵ２０１は、フォトコンテスト一覧画面情報をクライアント端末１０２に送信する。フォトコンテスト一覧画面情報は、例えば、ＨＴＭＬ形式、ＸＭＬ形式などの構造化言語により記述された画面情報であり、後述する図４である。また、クライアント端末のＷＥＢブラウザ上で各種処理を実行させるために、ＪａｖａＳｃｒｉｐｔ（登録商標）等のスクリプト言語により記述されたプログラムを含んでいるものとする。
【００４４】
ステップＳ３１０において、クライアント端末１０２は、フォトコンテスト一覧画面情報を、情報処理装置１０１から受信する。
【００４５】
ステップＳ３１１において、クライアント端末１０２のＣＰＵ２０１は、フォトコンテスト一覧画面をＷＥＢブラウザ上に表示させる。
【００４６】
ステップＳ３１２において、クライアント端末１０２は、今回検閲を行うフォトコンテストの選択をユーザから受け付ける。図４に、本発明の実施の形態における主催者（管理者）のフォトコンテスト一覧画面の一例を示す。
【００４７】
図４は、本発明の実施の形態における主催者（管理者）のクライアント端末１０２のＷＥＢブラウザ上に表示されるフォトコンテスト一覧画面の一例である。
【００４８】
フォトコンテスト一覧画面４０１には、検閲対象となるフォトコンテストの一覧が表示される。また、各フォトコンテストの欄には、フォトコンテストのタイトル、審査期間、検閲が完了した画像の数やまだ検閲を終えていない画像の数などが表示される。主催者（管理者）は、このフォトコンテスト一覧画面４０１から、今回検閲するフォトコンテストのタイトル欄（例えば４０２）をマウスで選択した後、「検閲画面」ボタン４０３をクリックする。
【００４９】
ステップＳ３１３において、クライアント端末１０２のＣＰＵ２０１は、ステップＳ３１２においてユーザから受け付けた、今回検閲を行うフォトコンテストの選択情報を情報処理装置１０１に送信する。
【００５０】
ステップＳ３１４において、情報処理装置１０１は、クライアント端末１０２から選択情報を受信する。
【００５１】
ステップＳ３１５において、情報処理装置１０１のＣＰＵ２０１は、検閲画面情報をクライアント端末１０２に送信する。検閲画面情報は、例えば、ＨＴＭＬ形式、ＸＭＬ形式などの構造化言語により記述された画面情報である。この画面情報には、フォトコンテストの検閲（審査）対象となる画面データが含まれているものとする。また、クライアント端末のＷＥＢブラウザ上で各種処理を実行させるために、ＪａｖａＳｃｒｉｐｔ（登録商標）等のスクリプト言語により記述されたプログラムを含んでいるものとする。
【００５２】
ステップＳ３１６において、クライアント端末１０２は、検閲画面情報を情報処理装置１０１から受信し、クライアント端末１０２の外部メモリ２１１に記憶する。フォトコンテストに応募された複数の画像データを記憶する記憶手段を備えた情報処理装置の一例である。
【００５３】
ステップＳ３１７において、クライアント端末１０２のＣＰＵ２０１は、検閲画面情報を用いて、検閲画面をＷＥＢブラウザ上に表示させる。
【００５４】
ステップＳ３１８において、クライアント端末１０２は、検閲画面に対して、主催者（管理者）から画像データの公開・非公開の選択を受け付ける。ステップＳ３１８は、本発明における、記憶手段で記憶された前記複数の画像データの中から、前記フォトコンテストで公開しない画像データの候補の選択を受け付ける選択受付手段の一例である。
【００５５】
図５〜図９に、本発明の実施の形態における主催者（管理者）の検閲画面の一例を示す。
【００５６】
図５は、本発明の実施の形態における主催者（管理者）の検閲画面（１）の一例を示す図である。
【００５７】
検閲画面５０１には、検閲（審査）対象となる応募作品の画像データが表示される。主催者（管理者）は、複数ある応募作品を閲覧しながら画像データの公開・非公開の絞り込みを行う。本画面には、選択欄５０２がある。選択欄５０２では、「公開」「非公開」マークの選択が可能であり、選択後に、５０３から、それぞれ選択したマークの絞り込み表示を行うことができる。また、「すべてを選択する」ボタン５０４を主催者（管理者）がマウス等で押下することで、画像データの一括選択が可能であり、５０４を主催者（管理者）がマウス等で押下した後、「公開」ボタン５０５または、「非公開」ボタン５０６を主催者（管理者）がマウス等で押下することで、一括で画像データの公開・非公開の選択を行うことができる。さらに、「拡大」ボタン５０７を主催者（管理者）がマウス等で押下する（記憶手段で記憶された前記複数の画像データのサムネイル画像の一覧画面において、画像データのサムネイルを拡大して表示する操作）ことで、画像データを拡大表示させることが可能である。最後に主催者（管理者）は、画像の公開・非公開を確定させるためのボタン５０８を押下することで検閲を終了することとなる。本発明の実施の形態では、ボタン形式の例を示しているが、主催者（管理者）に審査確定の指示ができる確定指示オブジェクトであれば、どのような表示形式であってもよい。
【００５８】
また、図６は、本発明の実施の形態における主催者（管理者）の検閲画面（２）の一例を示す図である。
【００５９】
検閲画面６０１には、検閲（審査）対象となる応募作品の画像データが表示される。図５に示す検閲画面５０１との違いは、応募作品を閲覧する領域の画面レイアウトである。主催者（管理者）は、レイアウト変更ボタン６０２を押下することで、情報処理装置１０１に異なるレイアウトの検閲画面を要求することができる。
【００６０】
また、検閲画面６０１には、検閲画面５０１とは異なり、選択欄６０３と審査員コメント欄６０４の２つの欄がある。選択欄６０３では、「Ａ賞」「Ｂ賞」「Ｃ賞」の選択が可能である。また、審査員コメント欄６０４では、審査員が応募作品に対するコメントを入力することができる。６０６には、６０７の検閲（審査）対象となる応募作品の画像データ一覧のうち、ユーザが選択した画像データが表示される。また、６０８をユーザが押下することで、６０６に表示される画像データを変更できる。
また、他の実施形態として、検閲画面６０１に、主催者（管理者）が、検閲時にコメントを入力できるコメント欄を備えても良い。
【００６１】
ステップＳ３１９において、クライアント端末１０２は、検閲履歴情報を、クライアント端末１０２の外部メモリ２１１に保存されている「検閲履歴情報テーブル」に記憶する。
【００６２】
図１０に、本発明の実施の形態における、クライアント端末１０２の外部メモリ２１１に保存されている「検閲履歴情報テーブル」の一例を示す。
【００６３】
図１０は、本発明の実施の形態における、クライアント端末１０２の外部メモリ２１１に保存されている「検閲履歴情報テーブル」の一例を示す図である。
【００６４】
「検閲履歴情報テーブル（１）」は、図５に示す検閲画面（１）で、主催者（管理者）が検閲を行った際に、検閲履歴情報が記憶される検閲履歴情報テーブルである。
【００６５】
「検閲履歴情報テーブル（１）」には、主催者（管理者）が検閲を行った画像データの作品タイトルや応募日、画像データを公開するか非公開にするか、そして主催者（管理者）が拡大ボタン５０７を押下することによって画像データが拡大されたか否かの操作情報（選択を受け付けた前記フォトコンテストで公開しない画像データに対する、ユーザによる選択時の操作）等が、検閲履歴情報として記憶される。
【００６６】
「検閲履歴情報テーブル（２）」は、図６に示す検閲画面（２）で、主催者（管理者）が検閲を行った際に、検閲履歴情報が記憶される検閲履歴情報テーブルである。
【００６７】
「検閲履歴情報テーブル（２）」には、主催者（管理者）が検閲を行った画像データの作品タイトルや応募日、画像データを公開するか非公開にするか、審査員が選択欄６０３で賞を選択したか否かの操作情報（選択を受け付けた前記フォトコンテストで公開しない画像データに対する、ユーザによる選択時の操作）、そして審査員コメント欄６０４にコメントを入力したか否かの操作情報（選択を受け付けた前記フォトコンテストで公開しない画像データに対する、ユーザによる選択時の操作）等が、検閲履歴情報として記憶される。
【００６８】
ステップＳ３２０において、クライアント端末１０２のＣＰＵ２０１は、主催者（管理者）によって、検閲を終了するボタン、例えば図５の５０８や、図６の６０５が押下されたか否かを判断する。
【００６９】
審査員によって検閲を終了するボタンが押下されていれば、ステップＳ３２１に進み、検閲を終了するボタンが押下されていなければ、ステップＳ３１８に戻り、再び主催者（管理者）から、画像データの公開・非公開の選択を受け付ける。
【００７０】
ステップＳ３２１において、クライアント端末１０２のＣＰＵ２０１は、検閲履歴情報を情報処理装置１０１に送信する。
【００７１】
ステップＳ３２２において、情報処理装置１０１は、クライアント端末１０２から検閲履歴情報を受信する。
【００７２】
ステップＳ３２３において、情報処理装置１０１のＣＰＵ２０１は、ステップＳ３２２で受信した検閲履歴情報から、操作情報を取得する。より具体的には、図１０の「検閲履歴情報テーブル（１）」の１００２や、「検閲履歴情報テーブル（２）」の１００３・１００４の情報を操作情報として取得する。
【００７３】
ステップＳ３２４において、情報処理装置１０１のＣＰＵ２０１は、ステップＳ３２２で受信した検閲履歴情報（図１０の「検閲履歴情報テーブル（１）」や、「検閲履歴情報テーブル（２）」）から、非公開と指定されている画像を抽出する。より具体的には、図１０の１００１の情報を参照し、１００１が「非公開」となっている画像を抽出する。
【００７４】
ステップＳ３２４の処理を終了すると、情報処理装置１０１のＣＰＵ２０１は、ステップＳ３２５・ステップＳ３２６の処理を、ステップＳ３２４で抽出した画像それぞれに対して行う。
【００７５】
ステップＳ３２５において、情報処理装置１０１のＣＰＵ２０１は、現在処理の対象となっている画像が、識別情報を付加すべき画像かを判断する。より具体的には、ステップＳ３２３で取得した操作情報が、拡大表示されているという操作情報である場合、賞選択されているという操作情報の場合、または、審査員コメントが入力されているという操作情報である場合に、現在処理の対象となっている画像を、識別情報を付加すべき画像（ＹＥＳ）と判断する。また、その他の実施例として、先に述べたように、図６の画面で、主催者（管理者）によるコメントがある場合に、現在処理の対象となっている画像を、識別情報を付加すべき画像（ＹＥＳ）と判断してもよい。
【００７６】
また、他の実施例として、現在処理の対象となっている画像が、拡大表示されていない場合や、賞選択がない場合、または、審査員コメントがない場合等（つまり、ユーザによる選択時の操作がない場合）に、現在処理の対象となっている画像を、ステップＳ３２５で識別情報を付加すべき画像（ＹＥＳ）と判断するとしてもよい。より具体的には、拡大表示されていない非公開の候補となっている画像について、図８の非公開画像一覧画面で、８０２〜８０５の識別情報を付加しても良い。その理由としては、画像を拡大表示したということは、主催者（管理者）は、非公開にして良いということをきちんと確認したうえで、その画像を非公開にしているという考え方もあるからである。
【００７７】
そのため、他の実施例の場合、図５の画面で拡大表示等をユーザ操作に従って行った画像について、図８の非公開画像一覧画面で８０２〜８０５の識別情報を付加するか、もしくは、図５の画面で拡大表示等をユーザ操作に従って行っていない画像について、図８の非公開画像一覧画面で８０２〜８０５の識別情報を付加するかをユーザに選択させるためのチェックボックスを図５の画面に備え、ユーザ操作に従って選択させるようにする。
【００７８】
なお、どの閲覧履歴情報を、識別情報を付加すべき画像と判断するための判断材料とするかは、予め主催者（管理者）が設定することが可能である。
【００７９】
ステップＳ３２６において、情報処理装置１０１のＣＰＵ２０１は、ステップＳ３２５で識別情報を付加すべきと判断（ＹＥＳ）した画像に識別情報を付加する。
【００８０】
ステップＳ３２６において付加される識別情報とは、後述する図８の８０２〜８０５である。
【００８１】
ステップＳ３２７において、情報処理装置１０１のＣＰＵ２０１は、ステップＳ３２４で抽出した非公開画像の一覧画面を生成する。
【００８２】
ステップＳ３２８において、情報処理装置１０１のＣＰＵ２０１は、非公開画像の一覧画面をクライアント端末１０２に送信する。
【００８３】
ステップＳ３２９において、クライアント端末１０２のＣＰＵ２０１は、非公開画像一覧画面を情報処理装置１０１から受信する。
【００８４】
ステップＳ３３０において、クライアント端末１０２のＣＰＵ２０１は、非公開画像の一覧画面をクライアント端末１０２のディスプレイ２１０上のＷＥＢブラウザに表示させる。
ステップＳ３３０において、クライアント端末１０２のディスプレイ２１０上のＷＥＢブラウザに表示される非公開画像一覧画面は、例えば図７である。
また、ステップＳ３２６において付加される識別情報は、図８の８０２〜８０５に示す通りに表示（選択時に操作された画像データのサムネイル画像と前記選択時に操作されていない画像データのサムネイル画像とを、前記一覧画面上で識別可能に表示）される。ステップＳ３３０は、本発明における、選択受付手段により選択を受け付けた画像データのサムネイル画像の一覧画面を表示させる表示手段の適用例である。
【００８５】
ここで図７の説明をする。
【００８６】
図７は、本発明の実施の形態における非公開画像の一覧画面の一例を示す図である。
【００８７】
非公開画像一覧画面７０１には、ステップＳ３１８で、主催者（管理者）が非公開とした画像の一覧が表示される。
【００８８】
７０２は、非公開に設定された画像データを公開にするか否かを、主催者（管理者）から受け付けるボタンである。７０２は、それぞれの画像データに１つずつ配置され、それぞれの画像データと紐付いている。７０２がユーザにより押下されると、押下されたボタンは、７０４に示す通り、識別可能に表示される。
【００８９】
７０３は、画像データを非公開にすることを、主催者（管理者）が改めて確定するためのボタンである。
【００９０】
ここで、図８の説明をする。
【００９１】
図８は、本発明の実施の形態における非公開画像一覧画面の一例を示す図であり、図７の７０１を拡大した図である。
【００９２】
８０１〜８０５は、いずれも画像データ（応募作品）のサムネイルと作品のタイトル、応募日などが表示される。
【００９３】
８０１は、ステップＳ３１８で、主催者（管理者）が非公開とした画像データで、識別情報が付加されていない画像データの表示の一例である。
【００９４】
８０２は、識別情報が付加されている画像データの表示の一例であり、識別情報が付加されていない画像データ８０１と比べて、少しサムネイルのサイズが大きく表示（識別情報が付加された前記フォトコンテストで公開すべきではない画像データを、前記識別情報が付加されていない前記フォトコンテストで公開すべきではない画像データより拡大して出力）される。
【００９５】
８０３は、識別情報が付加されている画像データの表示の一例であり、識別情報が付加されていない画像データ８０１と比べて、サムネイルの枠が太く表示されている（識別情報が付加された前記フォトコンテストで公開すべきではない画像データに枠を付けて出力されている）。
【００９６】
８０４は、識別情報が付加されている画像データの表示の一例であり、識別情報が付加されていない画像データ８０１と異なり、識別情報が付加されていることを示すフラグ（印）が付いて表示される（識別情報が付加された前記フォトコンテストで公開すべきではない画像データに印を付けて出力されている）。
【００９７】
８０５は、識別情報が付加されている画像データの表示の一例であり、識別情報が付加されていない画像データ８０１と異なり、識別情報が付加されていることを示す文章が表示（識別情報が付加された前記フォトコンテストで公開すべきではない画像データに、前記識別情報が付加されていることを示すコメントを付けて出力）される。
【００９８】
なお、図８では、識別情報が付加されている画像データを、８０２〜８０５のように同時にいくつかの識別表示方法で表示しているが、識別表示の方法は、８０２〜８０５のいずれか１種類でも構わないし、または、識別情報を付加すべき情報の種類に応じて変えてもよい。具体的には、例えば、審査員のコメントがある場合には８０２、賞選択がある場合には８０３としてもよい。
【００９９】
また、識別表示方法は、８０２〜８０５に限らず、例えば、識別情報が付加されている画像データを点滅させたり、色を変えたり、図１１に示す形式にするなど、主催者（管理者）が識別可能であればどのような表示方法でも良い。
【０１００】
ここで、図１１の説明をする。
【０１０１】
図１１は、本発明の実施の形態における主催者（管理者）の非公開画像一覧画面の一例を示す図である。図１１では、識別情報が付加されている画像データを上部に、識別情報が付加されていない画像データを下部に分けて表示することで、主催者（管理者）が識別できるようにした図である。
【０１０２】
図３の説明に戻る。
【０１０３】
ステップＳ３３１において、クライアント端末１０２のＣＰＵ２０１は、変更ボタン、本実施例では図７の７０２が主催者（管理者）の操作に従って押下されたか否かを判断する。変更ボタン（７０２）が主催者（管理者）の操作に従って押下されていればステップＳ３３２に進み、変更ボタン（７０２）が主催者（管理者）の操作に従って押下されない場合、本実施例では、図７の７０３が主催者（管理者）の操作に従って押下された場合、ステップＳ３３３に進む。ステップＳ３３１において、変更ボタン（７０２）が主催者（管理者）の操作に従って押下されない場合、本実施例では、図７の７０３が主催者（管理者）の操作に従って押下された場合というのは、本発明における、選択受付手段で受け付けた画像データを、前記フォトコンテストで公開しない画像データとして確定する確定手段の適用例である。
【０１０４】
ステップＳ３３２において、クライアント端末１０２のＣＰＵ２０１は、どの画像データの変更ボタン（７０２）が押されたかという情報を情報処理装置１０１に送信する。
より具体的には、変更ボタン（７０２）が押された画像について、ステップＳ３２２で、情報処理装置１０１がクライアント端末１０２から受信した図１０の検閲履歴情報テーブル（１）や、（２）の１００１を公開に変更するように要求する。
【０１０５】
例えば、図１０の検閲履歴情報テーブル（１）の中で、作品タイトルが「雪景色」の画像データは、ステップＳ３１８でユーザが非公開にすると選択したので、検閲履歴情報テーブル（１）では、１００１に示す通り「非公開」となっている。しかし、ステップＳ３３１で作品タイトル「雪景色」の画像データの変更ボタン（７０２）がユーザの操作に従って押下されたと判断した場合には、情報処理装置１０１は、クライアント端末１０２からの要求に従って作品タイトル「雪景色」の画像データの１００１を「公開」に変更し、ステップＳ３２４の処理に戻る。
【０１０６】
また、ステップＳ３３２の処理のあとに、ステップＳ３２４に戻り、ステップＳ３３０で再度生成された、クライアント端末１０２のディスプレイ２１０上のＷＥＢブラウザに表示される画面は、例えば、図１４に示す画面である。
【０１０７】
図１４は、図７の非公開画像一覧画面に含まれる５つ画像のうち、一番右の画像の変更ボタン（７０２）がユーザ操作に従って押下されたことにより、変更ボタン（７０２）がユーザ操作に従って押下された画像を除いた４つの画像の非公開画像一覧画面を再度生成して表示した例である。
【０１０８】
ステップＳ３３３において、クライアント端末１０２のＣＰＵ２０１は、ステップＳ３２２で、情報処理装置１０１がクライアント端末１０２から受信した検閲履歴情報（図１０の「検閲履歴情報テーブル（１）」や、「検閲履歴情報テーブル（２）」）に含まれる各画像について、ステップＳ３３２までの処理を終了した時点の選択内容を示す情報（画像データの公開・非公開の情報）を情報処理装置の外部メモリ２１１に保管されるフォトコンテストの応募画像データベース（不図示）に登録する旨の要求を情報処理装置１０１に対して行う。なお、応募画像データベースと検閲履歴情報テーブルは、同一のものであっても良い。
【０１０９】
ステップＳ３３４において、情報処理装置１０１は、登録の要求を受信する。
【０１１０】
ステップＳ３３５において、情報処理装置１０１のＣＰＵ２０１は、クライアント端末１０２からの要求に従って、画像の情報をフォトコンテストの応募画像データベースに登録する処理を行う。
【０１１１】
ステップＳ３３６において、情報処理装置１０１のＣＰＵ２０１は、登録処理完了画面を生成する。ステップＳ３３６において生成される登録処理完了画面とは、例えば、後述する図９である。
【０１１２】
ステップＳ３３７において、情報処理装置１０１のＣＰＵ２０１は、登録処理完了画面をクライアント端末１０２に送信する。
【０１１３】
ステップＳ３３８において、クライアント端末１０２のＣＰＵ２０１は、登録処理完了画面を情報処理装置１０１から受信する。
【０１１４】
ステップＳ３３９において、クライアント端末１０２のＣＰＵ２０１は、登録処理完了画面をクライアント端末１０２のディスプレイ２１０上のＷＥＢブラウザに表示させる。ステップＳ３３９において表示される登録処理完了画面とは、例えば、図９である。
【０１１５】
図９は、本発明の実施の形態における登録処理完了画面の一例を示す図である。
【０１１６】
登録処理完了画面９０１には、登録完了を示す文章が表示される。そして、主催者（管理者）は、「閉じる」ボタン９０２を押下することで、図９の表示を消す。
【０１１７】
ステップＳ３４０において、クライアント端末１０２のＣＰＵ２０１は、閉じるボタン（例えば図９の９０２）が主催者（管理者）の操作に従って押下されたか否かを判断する。
【０１１８】
閉じるボタンが主催者（管理者）の操作に従って押下されたならば、図９の登録処理完了画面を閉じて処理を終了し、閉じるボタンが主催者（管理者）の操作に従って押下されなければ、図９の登録処理完了画面を表示したままにする。
【０１１９】
以上の通り、本発明の第一の実施形態によれば、主催者（管理者）が作品の検閲を適切に行うことができる仕組みを提供することができる。
【０１２０】
次に、本発明の第二の実施の形態の説明を行う。
【０１２１】
本発明の第二の実施の形態は、図３に示すフローチャートにおいて情報処理装置１０１が実行するステップＳ３２２〜Ｓ３２８の各ステップの処理をクライアント端末１０２において実行させる実施の形態である。
【０１２２】
ステップＳ３１５において、情報処理装置１０１が送信する検閲画面情報に、ステップＳ３２２〜Ｓ３２８の各ステップ（図１２では、ステップＳ１２２１〜ステップＳ１２２６に相当）の処理をクライアント端末１０２において実行させるためのスクリプト言語により記述されたプログラムを含めておくことで実現可能となる。
【０１２３】
図１２は、本発明の実施の形態における処理の流れを示すフローチャートである。
【０１２４】
なお、図３と同様の内容である部分については、詳細な説明を省略する。
【０１２５】
なお、本処理の流れが始まる前提として、情報処理装置１０１では、フォトコンテストに対する応募作品（画像データ）がすでに管理されているものとする。
【０１２６】
ステップＳ１２０１において、クライアント端末１０２のＣＰＵ２０１は、情報処理装置１０１にアクセス要求を行う。具体的には、所定のＵＲＬへアクセスを行うことで、ＷＥＢ画面の要求を行う。
【０１２７】
ステップＳ１２０２において、情報処理装置１０１は、アクセス要求を受け付ける。
【０１２８】
ステップＳ１２０３において、情報処理装置１０１のＣＰＵ２０１は、主催者（管理者）を認証するための認証画面情報を送信する。認証画面情報は、例えば、ＨＴＭＬ形式、ＸＭＬ形式などの構造化言語により記述された画面情報である。
【０１２９】
ステップＳ１２０４において、クライアント端末１０２のＣＰＵ２０１は、情報処理装置１０１から認証画面情報を受信して、受信した認証画面情報を用いて、認証画面をＷＥＢブラウザ上に表示する。
【０１３０】
ステップＳ１２０５において、クライアント端末１０２のＣＰＵ２０１は、認証画面を介して、ユーザにより入力された認証情報（例えば、ユーザＩＤ・パスワードの組み合わせ等）を取得する。
【０１３１】
ステップＳ１２０６において、クライアント端末１０２は、取得した認証情報を情報処理装置１０１に送信する。
【０１３２】
ステップＳ１２０７において、情報処理装置１０１は、クライアント端末１０２から認証情報を受信する。
【０１３３】
ステップＳ１２０８において、情報処理装置１０１のＣＰＵ２０１は、受信した認証情報が、ユーザテーブルに管理しているユーザに合致するかの認証処理を行う。ここでは、認証処理により認証がされたものとして以下説明を続ける。
【０１３４】
ステップＳ１２０９において、情報処理装置１０１のＣＰＵ２０１は、フォトコンテスト一覧画面情報をクライアント端末１０２に送信する。フォトコンテスト一覧画面情報は、例えば、ＨＴＭＬ形式、ＸＭＬ形式などの構造化言語により記述された画面情報であり、図４である。また、クライアント端末のＷＥＢブラウザ上で各種処理を実行させるために、ＪａｖａＳｃｒｉｐｔ（登録商標）等のスクリプト言語により記述されたプログラムを含んでいるものとする。
【０１３５】
ステップＳ１２１０において、クライアント端末１０２は、フォトコンテスト一覧画面情報を情報処理装置１０１から受信する。
【０１３６】
ステップＳ１２１１において、クライアント端末１０２のＣＰＵ２０１は、フォトコンテスト一覧画面をクライアント端末１０２のＷＥＢブラウザ上に表示させる。
【０１３７】
ステップＳ１２１２において、クライアント端末１０２は、今回検閲を行うフォトコンテストの選択をユーザから受け付ける。図４に、本発明の実施の形態における主催者（管理者）のフォトコンテスト一覧画面の一例を示す。
【０１３８】
図４は、本発明の実施の形態における主催者（管理者）のクライアント端末１０２のＷＥＢブラウザ上に表示されるフォトコンテスト一覧画面の一例である。
【０１３９】
フォトコンテスト一覧画面４０１には、検閲対象となるフォトコンテストの一覧が表示される。また、各フォトコンテストの欄には、フォトコンテストのタイトル、審査期間、検閲が完了した画像の数やまだ検閲を終えていない画像の数などが表示される。主催者（管理者）は、このフォトコンテスト一覧画面４０１から、今回検閲するフォトコンテストのタイトル欄（例えば４０２）をマウスで選択した後、「検閲画面」ボタン４０３をクリックする。
【０１４０】
ステップＳ１２１３において、クライアント端末１０２のＣＰＵ２０１は、ステップＳ１２１２においてユーザから受け付けた、今回検閲を行うフォトコンテストの選択情報を情報処理装置１０１に送信する。
【０１４１】
ステップＳ１２１４において、情報処理装置１０１は、クライアント端末１０２から選択情報を受信する。
【０１４２】
ステップＳ１２１５において、情報処理装置１０１のＣＰＵ２０１は、検閲画面情報をクライアント端末１０２に送信する。検閲画面情報は、例えば、ＨＴＭＬ形式、ＸＭＬ形式などの構造化言語により記述された画面情報である。この画面情報には、フォトコンテストの検閲（審査）対象となる画面データが含まれているものとする。また、クライアント端末のＷＥＢブラウザ上で各種処理（例えば図１２のステップＳ１２１８〜ステップＳ１２２６）を実行させるために、ＪａｖａＳｃｒｉｐｔ（登録商標）等のスクリプト言語により記述されたプログラムを含んでいるものとする。
【０１４３】
ステップＳ１２１６において、クライアント端末１０２は、情報処理装置１０１から検閲画面情報を受信し、クライアント端末１０２の外部メモリ２１１に記憶する。クライアント端末１０２は、本発明におけるフォトコンテストに応募された複数の画像データを記憶する記憶手段を備えた情報処理装置の一例である。
【０１４４】
ステップＳ１２１７において、クライアント端末１０２のＣＰＵ２０１は、検閲画面情報を用いて、検閲画面をクライアント端末１０２のＷＥＢブラウザ上に表示させる。
【０１４５】
ステップＳ１２１８において、クライアント端末１０２は、検閲画面に対して、主催者（管理者）から画像データの公開・非公開の選択を受け付ける。ステップＳ１２１８は、本発明における、記憶手段で記憶された前記複数の画像データの中から、前記フォトコンテストで公開しない画像データの候補の選択を受け付ける選択受付手段の適用例である。
【０１４６】
図５〜図９に、本発明の実施の形態における主催者（管理者）の検閲画面の一例を示す。
なお、図５〜９については、すでに説明しているため、説明は省略する。
【０１４７】
ステップＳ１２１９において、クライアント端末１０２は、検閲履歴情報を、外部メモリ２１１に保存されている「検閲履歴情報テーブル」に記憶する。
【０１４８】
図１０に、本発明の実施の形態における、クライアント端末１０２の外部メモリ２１１に保存されている「検閲履歴情報テーブル」の一例を示す。
【０１４９】
図１０は、本発明の実施の形態における、クライアント端末１０２の外部メモリ２１１に保存されている「検閲履歴情報テーブル」の一例を示す図である。
【０１５０】
「検閲履歴情報テーブル（１）」は、図５に示す検閲画面（１）で、主催者（管理者）が検閲を行った際に、検閲履歴情報が記憶される検閲履歴情報テーブルである。
【０１５１】
「検閲履歴情報テーブル（１）」には、主催者（管理者）が検閲を行った画像データの作品タイトルや応募日、画像データを公開するか非公開にするか、そして主催者（管理者）が拡大ボタン５０７を押下（拡大指示）することによって画像データが拡大されたか否かの操作情報１００２（選択を受け付けた前記フォトコンテストで公開しない画像データに対する、ユーザによる選択時の操作）等が、検閲履歴情報として記憶される。
【０１５２】
「検閲履歴情報テーブル（２）」は、図６に示す検閲画面（２）で、主催者（管理者）が検閲を行った際に、検閲履歴情報が記憶される検閲履歴情報テーブルである。
【０１５３】
「検閲履歴情報テーブル（２）」には、主催者（管理者）が検閲を行った画像データの作品タイトルや応募日、画像データを公開するか非公開にするか、審査員が選択欄６０３で賞を選択したか否かの操作情報１００３（選択を受け付けた前記フォトコンテストで公開しない画像データに対する、ユーザによる選択時の操作）、そして審査員コメント欄６０４にコメントを入力したか否かの操作情報１００４（選択を受け付けた前記フォトコンテストで公開しない画像データに対する、ユーザによる選択時の操作）等が、検閲履歴情報として記憶される。
【０１５４】
ステップＳ１２２０において、クライアント端末１０２のＣＰＵ２０１は、主催者（管理者）によって、検閲を終了するボタン、例えば図５の５０８や、図６の６０５が押下されたか否かを判断する。
【０１５５】
審査員によって検閲を終了するボタンが押下されていれば、ステップＳ１２２１に進み、検閲を終了するボタンが押下されていなければ、ステップＳ１２１８に戻り、再び主催者（管理者）から、画像データの公開・非公開の選択を受け付ける。
ステップＳ１２２１において、クライアント端末１０２のＣＰＵ２０１は、ステップＳ１２１９で外部メモリ２１１に記憶した検閲履歴情報から、操作情報を取得する。より具体的には、図１０の「検閲履歴情報テーブル（１）」の１００２や、「検閲履歴情報テーブル（２）」の１００３・１００４の情報を操作情報として取得する。
【０１５６】
ステップＳ１２２２において、クライアント端末１０２のＣＰＵ２０１は、ステップＳ１２１９で外部メモリ２１１に記憶した検閲履歴情報（図１０の「検閲履歴情報テーブル（１）」や、「検閲履歴情報テーブル（２）」）から、非公開と指定されている画像を抽出する。より具体的には、図１０の１００１の情報を参照し、１００１が「非公開」となっている画像を抽出する。
【０１５７】
ステップＳ１２２２の処理を終了すると、クライアント端末１０２のＣＰＵ２０１は、ステップＳ１２２３・ステップＳ１２２４の処理を、ステップＳ１２２２で抽出した画像それぞれに対して行う。
【０１５８】
ステップＳ１２２３において、クライアント端末１０２のＣＰＵ２０１は、現在処理の対象となっている画像が、識別情報を付加すべき画像かを判断する。より具体的には、ステップＳ１２２１で取得した操作情報が、拡大表示されているという操作情報である場合、賞選択されているという操作情報の場合、または、審査員コメントが入力されているという操作情報である場合に、現在処理の対象となっている画像を、識別情報を付加すべき画像（ＹＥＳ）と判断する。
また、その他の実施例として、図６の画面で、主催者（管理者）によるコメントが入力された場合に、現在処理の対象となっている画像を、識別情報を付加すべき画像（ＹＥＳ）と判断してもよい。
【０１５９】
また、他の実施例として、現在処理の対象となっている画像が、拡大表示されていない場合や、賞選択がされていない場合、または、審査員コメントがない場合等（つまり、ユーザによる選択時の操作がない場合）に、現在処理の対象となっている画像を、ステップＳ１２２３で識別情報を付加すべき画像（ＹＥＳ）と判断するとしてもよい。より具体的には、拡大表示されていない非公開の候補となっている画像について、図８の非公開画像一覧画面で、８０２〜８０５の識別情報を付加しても良い。その理由としては、画像を拡大表示したということは、主催者（管理者）は、非公開にして良いということをきちんと確認したうえで、その画像を非公開にしているという考え方もあるからである。
【０１６０】
そのため、他の実施例の場合、図５の画面で拡大表示等をユーザ操作に従って行った画像について、図８の非公開画像一覧画面で８０２〜８０５の識別情報を付加するか、もしくは、図５の画面で拡大表示等をユーザ操作に従って行っていない画像について、図８の非公開画像一覧画面で、８０２〜８０５の識別情報を付加するかをユーザに選択させるためのチェックボックスを図５の画面に備え、ユーザ操作に従って選択させるようにする。
【０１６１】
なお、どの閲覧履歴情報を、識別情報を付加すべき情報とするかは、予め主催者（管理者）が設定することが可能である。
【０１６２】
ステップＳ１２２４において、クライアント端末１０２のＣＰＵ２０１は、ステップＳ１２２３で識別情報を付加すべきと判断（ＹＥＳ）した画像に識別情報を付加する。
【０１６３】
ステップＳ１２２４において付加される識別情報とは、後述する図８の８０２〜８０５である。
【０１６４】
ステップＳ１２２５において、クライアント端末１０２のＣＰＵ２０１は、ステップＳ１２２２で抽出した非公開画像の一覧画面を生成し、非公開画像の一覧画面をクライアント端末１０２のディスプレイ２１０上のＷＥＢブラウザに表示させる。
【０１６５】
ステップＳ１２２５において、クライアント端末１０２のディスプレイ２１０上のＷＥＢブラウザに表示される非公開画像一覧画面は、例えば図７である。また、ステップＳ１２２４において付加される識別情報は、図８の８０２〜８０５に示す通りに表示（識別情報を付加された前記フォトコンテストで公開すべきではない画像データと、前記識別情報が付加されていない前記フォトコンテストで公開すべきではない画像データとを識別可能に出力）される。ステップＳ１２２５は、本発明における、前記選択手段により選択された画像データのサムネイルを抽出し、前記抽出したサムネイルを前記画像データの候補として一覧にしたサムネイル画面を出力する非公開画像出力手段の適用例である。
【０１６６】
図７は、本発明の実施の形態における非公開画像一覧画面の一例を示す図である。
【０１６７】
図８は、本発明の実施の形態における非公開画像一覧画面の一例を示す図であり、図７の７０１を拡大した図である。
【０１６８】
なお、図８では、識別情報が付加されている画像データを、８０２〜８０５のように同時にいくつかの識別表示方法で表示しているが、識別表示の方法は、８０２〜８０５のいずれか１種類でも構わないし、または、識別情報を付加すべき情報の種類に応じて変えてもよい。具体的には、例えば、審査員のコメントがある場合には８０２、賞選択がある場合には８０３としてもよい。
【０１６９】
また、識別表示方法は、８０２〜８０５に限らず、例えば、識別情報が付加されている画像データを点滅させたり、色を変えたり、図１１に示す形式にするなど、主催者（管理者）が識別可能であればどのような表示方法でも良い。
【０１７０】
図１１は、本発明の実施の形態における主催者（管理者）の非公開画像一覧画面の一例を示す図である。図１１では、識別情報が付加されている画像データを上部に、識別情報が付加されていない画像データを下部に分けて表示することで、主催者（管理者）が識別できるようにした図である。
【０１７１】
ステップＳ１２２６において、クライアント端末１０２のＣＰＵ２０１は、変更ボタン、本実施例では図７の７０２が主催者（管理者）の操作に従って押下されたか否かを判断する。変更ボタン（７０２）が主催者（管理者）の操作に従って押下されていればステップＳ１２２２に戻り、変更ボタン（７０２）が主催者（管理者）の操作に従って押下されない場合、本実施例では、図７の７０３が主催者（管理者）の操作に従って押下された場合、ステップＳ１２２７に進む。
【０１７２】
ステップＳ１２２６において、変更ボタン（７０２）が主催者（管理者）の操作に従って押下されない場合、本実施例では、図７の７０３が主催者（管理者）の操作に従って押下された場合というのは、本発明における、選択受付手段で受け付けた画像データを、前記フォトコンテストで公開しない画像データとして確定する確定手段の適用例である。
【０１７３】
また、変更ボタン（７０２）が主催者（管理者）の操作に従って押下される操作は、本発明における、一覧画面上で、前記選択受付手段で受け付けた選択を、画像データごとに解除する解除手段の一例である。
なお、ステップＳ１２２６において、変更ボタン（７０２）が主催者（管理者）の操作に従って押下された場合には、ステップＳ１２２２に戻る前に、図１０の検閲履歴情報テーブル（１）や（２）中の変更ボタン（７０２）が押された画像について、１００１を「公開」に変更する。
【０１７４】
例えば、図１０の検閲履歴情報テーブル（１）の中で、作品タイトルが「雪景色」の画像データは、ステップＳ１２１８でユーザが非公開にすると選択したので、検閲履歴情報テーブル（１）では、１００１に示す通り「非公開」となっている。しかし、ステップＳ１２２６で作品タイトル「雪景色」の画像データの変更ボタン（７０２）がユーザ操作に従って押下されたと判断した場合には、作品タイトル「雪景色」の画像データの１００１を「公開」に変更し、ステップＳ１２２２の処理に進む。
【０１７５】
また、ステップＳ１２２６の処理のあとに、ステップＳ１２２２に戻り、ステップＳ１２２５で再生された、クライアント端末１０２のディスプレイ２１０上のＷＥＢブラウザに表示される画面は、例えば、図１４に示す画面である。
【０１７６】
図１４は、図７の非公開画像一覧画面に含まれる５つ画像のうち、一番右の画像の変更ボタン（７０２）がユーザ操作に従って押下されたことにより、変更ボタン（７０２）がユーザ操作に従って押下された画像を除いた４つの画像の非公開画像一覧画面を再度生成して表示した例である。
【０１７７】
ステップＳ１２２７において、クライアント端末１０２のＣＰＵ２０１は、ステップＳ１２１９で、クライアント端末１０２の外部メモリ２１１に保存される検閲履歴情報（図１０の「検閲履歴情報テーブル（１）」や、「検閲履歴情報テーブル（２）」）に含まれる各画像について、ステップＳ１２２６までの処理を終了した時点の選択内容を示す情報（画像データの公開・非公開の情報）を情報処理装置の外部メモリ２１１に保管されるフォトコンテストの応募画像データベース（不図示）に登録する旨の要求を情報処理装置１０１に対して行う。なお、応募画像データベースと検閲履歴情報テーブルは、同一のものであっても良い。
【０１７８】
ステップＳ１２２８において、情報処理装置１０１は、登録の要求を受信する。
【０１７９】
ステップＳ１２２９において、情報処理装置１０１のＣＰＵ２０１は、クライアント端末１０２からの要求に従って、画像の情報をフォトコンテストの応募画像データベースに登録する処理を行う。
【０１８０】
ステップＳ１２３０において、情報処理装置１０１のＣＰＵ２０１は、登録処理完了画面を生成する。ステップＳ１２３０において生成される登録処理完了画面とは、例えば、後述する図９である。
【０１８１】
ステップＳ１２３１において、情報処理装置１０１のＣＰＵ２０１は、登録処理完了画面をクライアント端末１０２に送信する。
【０１８２】
ステップＳ１２３２において、クライアント端末１０２のＣＰＵ２０１は、登録処理完了画面を情報処理装置１０１から受信する。
【０１８３】
ステップＳ１２３３において、クライアント端末１０２のＣＰＵ２０１は、登録処理完了画面をクライアント端末１０２のディスプレイ２１０上のＷＥＢブラウザに表示させる。ステップＳ１２３３において表示される登録処理完了画面とは、例えば、図９である。
【０１８４】
図９は、本発明の実施の形態における登録処理完了画面の一例を示す図である。
【０１８５】
登録処理完了画面９０１には、登録完了を示す文章が表示される。そして、主催者（管理者）の操作に従って「閉じる」ボタン９０２が押下されることで、図９の表示を消す。
【０１８６】
ステップＳ１２３４において、クライアント端末１０２のＣＰＵ２０１は、閉じるボタン（例えば図９の９０２）が主催者（管理者）の操作に従って押下されたか否かを判断する。
【０１８７】
閉じるボタンが主催者（管理者）の操作に従って押下されたならば、図９の登録処理完了画面を閉じて処理を終了し、閉じるボタンが主催者（管理者）によって押下されなければ、図９の登録処理完了画面を表示したままにする。
＜図１３の説明＞
【０１８８】
図１３を参照して、情報処理装置１０１、またはクライアント端末１０２によって行われるフォトコンテスト作成からコンテストの結果公開までの一連の処理について、一例を説明する。この処理を実行するために使用されるプログラムは情報処理装置１０１、およびクライアント端末１０２の外部メモリ２１１に記憶されており、本処理を行う際には当該プログラムをそれぞれのＲＡＭ２０２にロードし、プログラムの制御に従って本処理を行うことになる。
【０１８９】
ステップＳ１３０１において、情報処理装置１０１のＣＰＵ２０１は、クライアント装置１０２からの接続要求を受け付けると、ログイン処理を行う。ログイン処理に際し、クライアント装置１０２からユーザＩＤ、パスワードなど、ユーザ認証に必要なデータを受信し、それらデータの組が不図示のユーザ情報テーブルに登録されているか否かを判定することによりログイン処理が行われる。
【０１９０】
その後、クライアント端末１０２から、フォトコンテストの作成要求を受け付けると、情報処理装置１０１のＣＰＵ２０１は、フォトコンテストの作成画面をクライアント端末１０２に送信する。
【０１９１】
そして、情報処理装置１０１のＣＰＵ２０１は、クライアント端末１０２からユーザ操作に従って作成されたフォトコンテスト作成情報を受信し、外部メモリ２１１に記憶する。
【０１９２】
フォトコンテスト作成情報には、フォトコンテストの開催期間の情報、検閲した画像のみＷＥＢサイトに公開するか、もしくは公開した後に画像を検閲するかの情報、審査員が審査する期間の情報、管理者が検閲する期間の情報、コンテストの審査結果を発表する期間の情報、募集するカテゴリ、コンテストのタイトル等の情報が含まれる。
【０１９３】
フォトコンテストの作成情報を受信した後、情報処理装置１０１のＣＰＵ２０１は、フォトコンテストの開催期間になったら、作成されたフォトコンテストをＷＥＢサイトに公開し、クライアント端末１０２を介してユーザからの作品（画像）の応募を受け付ける（ステップＳ１３０２）。
【０１９４】
ステップＳ１３０３において、情報処理装置１０１のＣＰＵ２０１は、フォトコンテストに応募された作品（画像）の検閲をフォトコンテストの主催者（管理者）のクライアント端末１０２から受け付ける。ステップＳ１３０３の処理の詳細については、図３や図１２で説明しているため、ここでは説明を省略する。
【０１９５】
ステップＳ１３０４において、情報処理装置１０１のＣＰＵ２０１は、クライアント端末１０２からＷＥＢサイトに公開されているフォトコンテストの一覧画面の表示要求を受け付けると、ＷＥＢサイトに公開されているフォトコンテストの一覧画面を表示する。
【０１９６】
そして、クライアント端末１０２から、フォトコンテストの一覧画面に含まれるフォトコンテストの中から、ユーザが閲覧を所望するフォトコンテストの応募作品の一覧画面の表示要求を受け付けると、情報処理装置１０１のＣＰＵ２０１は、フォトコンテストに応募された作品の一覧画面をクライアント端末１０２に送信する。
【０１９７】
なお、ステップＳ１３０４でクライアント端末１０２に送信されるフォトコンテストに応募された作品の一覧画面にユーザから応募を受け付けた作品すべてを含むか、ステップＳ１３０３でフォトコンテストの主催者（管理者）によって検閲された、公開しても良いとなった画像のみを含むかは、ステップＳ１３０１で情報処理装置１０１がクライアント端末１０２から受信したフォトコンテスト作成情報に、検閲した画像のみＷＥＢサイトに公開するという情報が含まれるか、もしくは公開した後に画像を検閲するという情報が含まれるかによって変わる。
【０１９８】
ステップＳ１３０１で情報処理装置１０１がクライアント端末１０２から受信したフォトコンテスト作成情報に、検閲した画像のみＷＥＢサイトに公開するという情報が含まれる場合には、図３のステップＳ３３５や図１２のステップＳ１２２９で情報処理装置１０１の外部メモリ２１１に保管されるフォトコンテストの応募画像データベース（不図示）に登録されている画像のうち、ステップＳ１３０３の検閲処理で、公開・非公開の選択内容を示す情報が「公開」となっている画像が、フォトコンテストに応募された作品の一覧画面に表示される。
【０１９９】
ステップＳ１３０５において、クライアント端末１０２からフォトコンテストの審査要求を受け付けると、情報処理装置１０１のＣＰＵ２０１は、フォトコンテストの審査画面をクライアント端末１０２に送信する。
【０２００】
その後、情報処理装置１０１のＣＰＵ２０１は、フォトコンテストの審査結果の情報（例えば、どの作品が優勝したかといった情報）をクライアント端末１０２から受信すると、その情報を、外部メモリ２１１に記憶する。
【０２０１】
ステップＳ１３０６において、情報処理装置１０１のＣＰＵ２０１は、ステップＳ１３０５でクライアント端末１０２から受信した情報に基づいて、フォトコンテストの結果発表画面を生成し、クライアント端末１０２から、フォトコンテストの結果発表画面表示要求を受け付けると、生成した画面をクライアント端末１０２に送信する。
以上で図１３の説明を終了する。
【０２０２】
以上の通り、本発明の第二の実施形態によれば、コンテストに応募された応募作品の検閲を、ユーザが適切に行うことができる仕組みを提供することができる。
【０２０３】
以上、本発明の好ましい実施形態について詳述したが、本発明は係る特定の実施形態に限定されるものではなく、特許請求の範囲に記載された本発明の要旨の範囲内において、種々の変形・変更が可能である。
【０２０４】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０２０５】
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【０２０６】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【０２０７】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【０２０８】
本発明を前記記憶媒体に適用する場合、その記憶媒体（コンピュータ読み取り可能な記憶媒体）には、先に説明したフローチャートに対応するプログラムコードが格納されることになる。
【符号の説明】
【０２０９】
１０１  情報処理装置
１０２  クライアント端末
１０３  ネットワーク
【図１】
2014225255.tif 000003
【図２】
2014225255.tif 000004
【図３】
2014225255.tif 000005
【図４】
2014225255.tif 000006
【図５】
2014225255.tif 000007
【図６】
2014225255.tif 000008
【図７】
2014225255.tif 000009
【図８】
2014225255.tif 000010
【図９】
2014225255.tif 000011
【図１０】
2014225255.tif 000012
【図１１】
2014225255.tif 000013
【図１２】
2014225255.tif 000014
【図１３】
2014225255.tif 000015
【図１４】
2014225255.tif 000016
【手続補正書】
【提出日】平成26年6月16日(2014.6.16)
【手続補正１】
【補正対象書類名】特許請求の範囲
【補正対象項目名】全文
【補正方法】変更
【補正の内容】
【特許請求の範囲】
【請求項１】
フォトコンテストに応募された複数の画像データを記憶する記憶手段と、
前記記憶手段で記憶された前記複数の画像データの中から、前記フォトコンテストで公開しない画像データの候補の選択を受け付ける選択受付手段と、
前記選択受付手段により選択を受け付けた公開しない画像データの確定を行う前に、前記選択受付手段により選択を受け付けた画像データのサムネイル画像の一覧画面を生成する生成手段と、
前記生成手段により生成された前記一覧画面を表示すべく、当該一覧画面を出力する出力手段と
を有することを特徴とする情報処理システム。
【請求項２】
前記選択受付手段で受け付けた画像データを、前記フォトコンテストで公開しない画像データとして確定する確定手段と、
前記一覧画面上で、前記選択受付手段で受け付けた選択を、画像データごとに解除する解除手段と、をさらに有し、
前記確定手段は、前記選択受付手段で受け付けた画像データであって前記解除手段で解除された画像以外の画像データを、前記フォトコンテストで公開する画像として確定することを特徴とする請求項１に記載の情報処理システム。
【請求項３】
前記生成手段は、前記解除手段で解除された画像データのサムネイル画像を除いた一覧画面を再度生成することを特徴とする請求項２に記載の情報処理システム。
【請求項４】
前記記憶手段は、前記選択受付手段において前記フォトコンテストで公開しない画像データの候補の選択を受け付ける時の、前記選択受付手段で選択を受け付けた前記フォトコンテストで公開しない画像データに対する前記ユーザによる所定の操作の有無も記憶しており、
前記生成手段は、前記選択時に操作された画像データのサムネイル画像と前記選択時に操作されていない画像データのサムネイル画像とが、前記一覧画面上で識別可能となるように前記一覧画面を生成することを特徴とする請求項１乃至３のいずれか１項に記載の情報処理システム。
【請求項５】
前記生成手段は、前記記憶手段で記憶された前記複数の画像データの中から、前記フォトコンテストで公開しない画像データの候補の選択を受け付ける選択受付画面を生成し、
前記ユーザによる所定の操作とは、ユーザによる前記画像データを前記選択受付画面上に拡大して表示させる操作であることを特徴とする請求項４に記載の情報処理システム。
【請求項６】
フォトコンテストに応募された複数の画像データを記憶する記憶手段を有する情報処理システムの制御方法であって、
前記情報処理システムの選択受付手段が、前記記憶手段で記憶された前記複数の画像データの中から、前記フォトコンテストで公開しない画像データの候補の選択を受け付ける選択受付工程と、
前記情報処理システムの生成手段が、前記選択受付工程により選択を受け付けた公開しない画像データの確定を行う前に、前記選択受付工程により選択を受け付けた画像データのサムネイル画像の一覧画面を生成する生成工程と、
前記情報処理システムの出力手段が、前記生成工程により生成された前記一覧画面を表示すべく、当該一覧画面を出力する出力工程と
を有することを特徴とする情報処理システムの制御方法。
【請求項７】
フォトコンテストに応募された複数の画像データを記憶する記憶手段を有する情報処理システムで読み取り実行可能なプログラムであって、
前記情報処理システムを、
前記記憶手段で記憶された前記複数の画像データの中から、前記フォトコンテストで公開しない画像データの候補の選択を受け付ける選択受付手段と、
前記選択受付手段により選択を受け付けた公開しない画像データの確定を行う前に、前記選択受付手段により選択を受け付けた画像データのサムネイル画像の一覧画面を生成する生成手段と、
前記生成手段により生成された前記一覧画面を表示すべく、当該一覧画面を出力する出力手段
として機能させることを特徴とするプログラム。
【手続補正２】
【補正対象書類名】明細書
【補正対象項目名】００１１
【補正方法】変更
【補正の内容】
【００１１】
本発明は、フォトコンテストに応募された画像の中からユーザから選択を受け付けた、フォトコンテストで公開しない画像の一覧を、公開しない画像の確定を行う前に、ユーザが確認可能な仕組みを提供することを目的とする。
【手続補正３】
【補正対象書類名】明細書
【補正対象項目名】００１２
【補正方法】変更
【補正の内容】
【００１２】
本発明は、フォトコンテストに応募された複数の画像データを記憶する記憶手段と、前記記憶手段で記憶された前記複数の画像データの中から、前記フォトコンテストで公開しない画像データの候補の選択を受け付ける選択受付手段と、前記選択受付手段により選択を受け付けた公開しない画像データの確定を行う前に、前記選択受付手段により選択を受け付けた画像データのサムネイル画像の一覧画面を生成する生成手段と、前記生成手段により生成された前記一覧画面を表示すべく、当該一覧画面を出力する出力手段とを有することを特徴とする。
【手続補正４】
【補正対象書類名】明細書
【補正対象項目名】００１３
【補正方法】変更
【補正の内容】
【００１３】
また、本発明は、フォトコンテストに応募された複数の画像データを記憶する記憶手段を有する情報処理システムの制御方法であって、前記情報処理システムの選択受付手段が、前記記憶手段で記憶された前記複数の画像データの中から、前記フォトコンテストで公開しない画像データの候補の選択を受け付ける選択受付工程と、前記情報処理システムの生成手段が、前記選択受付工程により選択を受け付けた公開しない画像データの確定を行う前に、前記選択受付工程により選択を受け付けた画像データのサムネイル画像の一覧画面を生成する生成工程と、前記情報処理システムの出力手段が、前記生成工程により生成された前記一覧画面を表示すべく、当該一覧画面を出力する出力工程とを有することを特徴とする。
【手続補正５】
【補正対象書類名】明細書
【補正対象項目名】００１４
【補正方法】変更
【補正の内容】
【００１４】
また、本発明は、フォトコンテストに応募された複数の画像データを記憶する記憶手段を有する情報処理システムで読み取り実行可能なプログラムであって、前記情報処理システムを、前記記憶手段で記憶された前記複数の画像データの中から、前記フォトコンテストで公開しない画像データの候補の選択を受け付ける選択受付手段と、前記選択受付手段により選択を受け付けた公開しない画像データの確定を行う前に、前記選択受付手段により選択を受け付けた画像データのサムネイル画像の一覧画面を生成する生成手段と、前記生成手段により生成された前記一覧画面を表示すべく、当該一覧画面を出力する出力手段として機能させることを特徴とする。
【手続補正６】
【補正対象書類名】明細書
【補正対象項目名】００１５
【補正方法】変更
【補正の内容】
【００１５】
本発明によれば、フォトコンテストに応募された画像の中からユーザから選択を受け付けた、フォトコンテストで公開しない画像の一覧を、公開しない画像の確定を行う前に、ユーザが確認可能な仕組みを提供することができる。